(57)【要約】本発明は、無線通信システムに関し、特に、本発明は、無線通信システムにおいてＵＭ  ＲＬＣ（Radio Link Control）エンティティに関連するＰＤＣＰ（Packet Data Convergence Protocol）エンティティの再構成を行う方法及び装置に関する。ＰＤＣＰエンティティの再構成手順がトリガされると、ＰＤＣＰエンティティの再整列タイマが動作中である場合、上記ＰＤＣＰエンティティは、上記再整列タイマを中断して再設定する段階と、記憶された全てのＰＤＣＰ  ＳＤＵを関連するＣＯＵＮＴ値の昇順に上位層に伝達する段階と、を有する。【選択図】図８
2019532528.tif 000002
【特許請求の範囲】
【請求項１】
無線通信システムにおいて受信装置が行う方法であって、
パケットデータ収束プロトコル（Packet Data Convergence Protocol；ＰＤＣＰ）エンティティの再構成手順がトリガされると、前記ＰＤＣＰエンティティの再整列タイマが動作中である場合、前記ＰＤＣＰエンティティは、前記再整列タイマを中断して再設定する段階と、
前記ＰＤＣＰエンティティは、記憶された全てのＰＤＣＰサービスデータユニット（Service Data Unit；ＳＤＵ）を関連するＣＯＵＮＴ値の昇順に上位層に伝達する段階と、を有する方法。
【請求項２】
前記ＰＤＣＰエンティティは、前記ＰＤＣＰエンティティの再構成手順の間に、前記ＰＤＣＰエンティティの状態変数値を初期値にセットする段階、をさらに有する、請求項１に記載の方法。
【請求項３】
前記初期値は、０である、請求項２に記載の方法。
【請求項４】
前記記憶された全てのＰＤＣＰ  ＳＤＵは、ヘッダ圧縮解除後、前記上位層に伝達される、請求項１に記載の方法。
【請求項５】
前記ＰＤＣＰエンティティは、非確認モード（Unacknowledged Mode；ＵＭ）無線リンク制御（Radio Link Control；ＲＬＣ）エンティティに関連する、請求項１に記載の方法。
【請求項６】
前記再整列タイマは、下位層から非順次ＰＤＣＰ  ＳＤＵが受信される時に開始され、
前記非順次ＰＤＣＰ  ＳＤＵのＣＯＵＮＴ値は、前記再整列タイマに関連する再整列ウィンドウで受信されると予想される次のＰＤＣＰ  ＳＤＵのＣＯＵＮＴ値を示す状態変数より大きい、請求項１に記載の方法。
【請求項７】
前記上位層から前記ＰＤＣＰエンティティの再構成要求が受信された時、前記ＰＤＣＰエンティティの再構成手順がトリガされる、請求項１に記載の方法。
【請求項８】
無線通信システムにおいて動作する受信装置であって、
無線周波（Radio Frequency；ＲＦ）モジュールと、
前記無線周波モジュールと動作可能に接続されたプロセッサと、を有し、
前記プロセッサは、
パケットデータ収束プロトコル（Packet Data Convergence Protocol；ＰＤＣＰ）エンティティの再構成手順がトリガされると、前記ＰＤＣＰエンティティの再整列タイマが動作中である場合、前記ＰＤＣＰエンティティが、前記再整列タイマを中断して再設定し、
前記ＰＤＣＰエンティティが、記憶された全てのＰＤＣＰサービスデータユニット（Service Data Unit；ＳＤＵ）を関連するＣＯＵＮＴ値の昇順に上位層に伝達するよう構成される、受信装置。
【請求項９】
前記プロセッサは、前記ＰＤＣＰエンティティが、前記ＰＤＣＰエンティティの再構成手順の間に、前記ＰＤＣＰエンティティの状態変数値を初期値にセットする、ようさらに構成される、請求項８に記載の受信装置。
【請求項１０】
前記初期値は、０である、請求項９に記載の受信装置。
【請求項１１】
前記記憶された全てのＰＤＣＰ  ＳＤＵは、ヘッダ圧縮解除後、前記上位層に伝達される、請求項８に記載の受信装置。
【請求項１２】
前記ＰＤＣＰエンティティは、非確認モード（Unacknowledged Mode；ＵＭ）無線リンク制御（Radio Link Control；ＲＬＣ）エンティティに関連する、請求項８に記載の受信装置。
【請求項１３】
前記再整列タイマは、下位層から非順次ＰＤＣＰ  ＳＤＵが受信される時に開始され、
前記非順次ＰＤＣＰ  ＳＤＵのＣＯＵＮＴ値は、前記再整列タイマに関連する再整列ウィンドウで受信されると予想される次のＰＤＣＰ  ＳＤＵのＣＯＵＮＴ値を示す状態変数より大きい、請求項８に記載の受信装置。
【請求項１４】
前記上位層から前記ＰＤＣＰエンティティの再構成要求が受信された時、前記ＰＤＣＰエンティティの再構成手順がトリガされる、請求項８に記載の受信装置。
【発明の詳細な説明】
【技術分野】
【０００１】
本発明は、無線通信システムに関し、特に、無線通信システムにおいて非確認モード（Unacknowledged Mode；ＵＭ）ＲＬＣエンティティに関連したパケットデータ収束プロトコル（Packet Data Convergence Protocol；ＰＤＣＰ）エンティティの再構成のための方法及びその装置に関する。
【背景技術】
【０００２】
本発明を適用できる無線通信システムの一例として、３ＧＰＰ  ＬＴＥ（3rd Generation Partnership Project Long Term Evolution；以下、“ＬＴＥ”という）通信システムについて概略的に説明する。
【０００３】
図１は、無線通信システムの一例として、Ｅ−ＵＭＴＳ網の構造を概略的に示した図である。Ｅ−ＵＭＴＳ（Evolved Universal Mobile Telecommunications System）は、既存のＵＭＴＳ（Universal Mobile Telecommunications System）から進歩した（advanced）システムであって、現在、３ＧＰＰで基礎的な標準化作業を進めている。一般に、Ｅ−ＵＭＴＳは、ＬＴＥ（Long Term Evolution）システムと称することもできる。ＵＭＴＳ及びＥ−ＵＭＴＳの技術規格（technical specification）の詳細な内容は、それぞれ「3rd Generation Partnership Project；Technical Specification Group Radio Access Network」のＲｅｌｅａｓｅ  ７及びＲｅｌｅａｓｅ  ８を参照することができる。
【０００４】
図１を参照すると、Ｅ−ＵＭＴＳは、端末（User Equipment；ＵＥ）、基地局（ｅＮｏｄｅ  Ｂ；ｅＮＢ）、及びネットワーク（E-UTRAN）の終端に位置し、外部ネットワークと接続されるアクセスゲートウェイ（接続ゲートウェイ）（Access Gateway；ＡＧ）を含む。基地局は、ブロードキャストサービス、マルチキャストサービス及び／又はユニキャストサービスのために多重（複数の）データストリーム（multiple data streams）を同時に送信することができる。
【０００５】
一つの基地局には、一つ又は複数のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうちの一つに設定され、多くの端末にダウンリンク又はアップリンク送信サービスを提供する。互いに異なるセルは、互いに異なる帯域幅を提供するように設定することができる。基地局は、多数の端末に対するデータ送受信を制御する。ダウンリンク（Downlink；ＤＬ）データに対して、基地局は、ダウンリンクスケジューリング情報を送信し、該当の端末にデータが送信される時間／周波数領域、符号化、データサイズ、ＨＡＲＱ（Hybrid Automatic Repeat and reQuest）関連情報などを知らせる。また、アップリンク（Uplink；ＵＬ）データに対して、基地局は、アップリンクスケジューリング情報を該当の端末に送信し、該当の端末が使用可能な時間／周波数領域、符号化、データサイズ、ＨＡＲＱ関連情報などを知らせる。各基地局間には、ユーザトラフィック（user traffic）又は制御トラフィックの送信のためのインターフェースを使用することができる。コアネットワーク（Core Network；ＣＮ）は、ＡＧ及び端末の使用者登録などのためのネットワークノードなどで構成することができる。ＡＧは、複数のセルで構成されるＴＡ（Tracking Area）単位で端末のモビリティ（移動性）（mobility）を管理する。
【０００６】
無線通信技術は、ＷＣＤＭＡ（登録商標）に基づいてＬＴＥまで開発されてきたが、使用者及び事業者（service providers）の要求及び期待は、持続的に増加している。また、他の無線アクセス技術（radio access technologies）が継続して開発されているので、今後、競争力を有するためには新たな技術の発展が要求され、ビット当たりのコスト減少（decrease in cost per bit）、サービス可用性の増大、融通性のある周波数バンドの使用、単純構造及びオープンインターフェース、端末の適切な電力消費（power consumption）などが要求される。
【０００７】
より多くの通信装置がより大きい通信容量を要求することにより、既存のＲＡＴに比べて向上したモバイル広帯域通信に対する必要性が台頭しつつある。また、複数の装置と客体（object）とを相互接続していつでもどこでも様々なサービスを提供するためのＭＴＣ（Machine Type Communications）は、次世代通信において考慮すべき主要争点の一つである。また、信頼度及び待機時間にセンシティブな（sensitive）サービス／ＵＥを考慮して設計される通信システムに関する議論が進行中である。次世代無線アクセス技術の導入は、ＥＭＢＢ（Enhanced Mobile BroadBand）伝送（送信）（transmission）及びＵＲＬＬＣ（Ultra-Relay and Low Latency Communication）などを考慮して論議されている。
【発明の概要】
【発明が解決しようとする課題】
【０００８】
これを解決するための本発明の目的は、無線通信システムにおいてＵＭ  ＲＬＣエンティティに関連するＰＤＣＰエンティティの再構成を行う方法及び装置を提供することにある。
【０００９】
ＰＤＣＰ再構成がトリガされる場合、再整列バッファ（reordering buffer）に記憶（貯蔵）された（stored）一部のＰＤＣＰサービスデータユニット（Service Data Unit；ＳＤＵ）が存在することができる。かかるＰＤＣＰ  ＳＤＵは、ＰＤＣＰ再構成の後にも再整列バッファに維持される。
【００１０】
ＡＭ  ＤＲＢの場合、ＰＤＣＰ再構成の間に状態変数及びＣＯＵＮＴ値が維持されるので、再整列バッファにＰＤＣＰ  ＳＤＵを維持することは問題にならない。ＰＤＣＰ再構成の後に受信されるＰＤＣＰ  ＳＤＵは、ＰＤＣＰ再構成の前に受信されたＰＤＣＰ  ＳＤＵと共に再整列できる。
【００１１】
しかし、ＵＭ  ＤＲＢの場合、状態変数及びＣＯＵＮＴ値は、ＰＤＣＰ再構成の間に再設定され、ＰＤＣＰ再構成の後に受信されたＰＤＣＰ  ＳＤＵは、ＰＤＣＰ再構成の前に受信されたＰＤＣＰ  ＳＤＵと共に再整列できない。
【００１２】
ＰＤＣＰ再構成が行われる間に状態変数及びＣＯＵＮＴ値が再設定されることは、ＰＤＣＰエンティティで行われる再整列機能も変更されることを意味する。
【００１３】
ＬＴＥにおいては、再整列機能がスプリットベアラ（split bearer）でのみ行われ、スプリットベアラはＡＭ  ＲＬＣでのみサポートされる（supported）ので、ＰＤＣＰの再構成でも再整列機能にいかなる影響も与えない（so there was no impact on the reordering function even if PDCP re-establishment）。
【００１４】
なお、ｅＬＴＥにおいて、ＬＷＡベアラはスプリットベアラの構造を採択しても、ＬＷＡベアラはＡＭ  ＲＬＣだけではなくＵＭ  ＲＬＣでもサポートされ、一部のスプリットベアラはＡＭ  ＲＬＣだけではなくＵＭ  ＲＬＣでもサポートされる。またＮＲにおいて、ＡＭ  ＲＬＣに関連するＰＤＣＰエンティティだけではなくＵＭ  ＲＬＣに関連するＰＤＣＰエンティティは、スプリットベアラに関係なくデフォルトで再整列機能を行う。しかし、現在の規格によれば、ＰＤＣＰの再構成時に記憶されたＰＤＣＰ  ＳＤＵを処理する明確な方法がない。
【００１５】
したがって、ＵＭ  ＤＲＢに対してＰＤＣＰの再構成時に記憶されたＰＤＣＰ  ＳＤＵを処理する方法について論議する必要がある。
【００１６】
本発明によって解決される技術的課題は、前述した技術的課題に制限されず、当該分野の通常の知識を有する者は、以下で説明する他の技術的課題を理解することができる。
【課題を解決するための手段】
【００１７】
本発明の目的は、添付の特許請求の範囲に記載のような無線通信システムにおけるユーザ装置（User Equipment；ＵＥ）の動作方法を提供することにより達成できる。
【００１８】
本発明の他の側面において、添付の特許請求の範囲に記載のような通信装置が提供される。
【００１９】
上記の一般的な説明及び以下の本発明の詳細な説明は、いずれも例示的なものであり、特許請求の範囲に記載した本発明をより詳しく説明するためのものである。
【発明の効果】
【００２０】
本発明は、ＵＭ  ＲＬＣエンティティに関連するＰＤＣＰエンティティが再構成手順を行う時、再整列バッファに残っている全てのＰＤＣＰ  ＳＤＵに対する処理手順を提案する。
【００２１】
特に、ＵＭ  ＲＬＣエンティティに関連したＰＤＣＰエンティティが再構成手順を行う時に記憶された全てのＰＤＣＰ  ＳＤＵを上位層に伝達することは、伝達されたＰＤＣＰ  ＳＤＵを上位層で活用できるという長所がある。
【００２２】
本発明の効果が前述した効果に制限されず、本発明の他の利点が添付図面と共に以下の詳細な説明からより明らかに理解可能であることが通常の知識を有する者であれば分かるであろう。
【図面の簡単な説明】
【００２３】
【図１】無線通信システムの例としてＥ−ＵＭＴＳ（Evolved Universal Mobile Telecommunications System）のネットワーク構造を示す図である。
【図２ａ】Ｅ−ＵＭＴＳのネットワーク構造を示すブロック図である。
【図２ｂ】典型的なＥ−ＵＴＲＡＮ及び典型的なＥＰＣのアーキテクチャを示すブロック図である。
【図３】３ＧＰＰ（3rd generation partnership project）無線アクセスネットワーク標準に基づいて端末とＥ−ＵＴＲＡＮとの間の無線インターフェースプロトコルの制御プレーン（制御平面）（control plane）及びユーザプレーン（使用者平面）（user plane）を示す図である。
【図４ａ】ＮＧ無線アクセスネットワーク（ＮＧ−ＲＡＮ）アーキテクチャのネットワーク構造を示すブロック図である。
【図４ｂ】ＮＧ−ＲＡＮと５Ｇコアネットワーク（５ＧＣ）との間の機能的分割アーキテクチャ（functional Split）を説明するブロック図である。
【図５】３ＧＰＰ（3rd generation partnership project）無線アクセスネットワークの標準に基づいたＵＥとＮＧ−ＲＡＮとの間の無線インターフェースプロトコルの制御プレーン（制御平面）（control plane）及びユーザプレーン（使用者平面）（user plane）を示す図である。
【図６】本発明の実施例による通信装置のブロック図である。
【図７】ＰＤＣＰ再構成を伴うＲＲＣ再設定メッセージを示す図である。
【図８】本発明の実施例による無線通信システムにおいて、ＵＭ  ＲＬＣエンティティに関連するＰＤＣＰエンティティの再構成を行うための概念図である。
【図９】本発明の実施例による無線通信システムにおいて、ＵＭ  ＲＬＣエンティティに関連するＰＤＣＰエンティティの再構成を行う一例を示す図である。
【発明を実施するための形態】
【００２４】
本発明の追加説明を提供するために本明細書の一部として含まれる添付図面は、本発明の多様な実施形態を示し、本発明の説明とともに本発明の原理を説明するためのものである。
【００２５】
ＵＭＴＳ（Universal Mobile Telecommunication System）は、ヨーロッパシステム、ＧＳＭ（登録商標）（Global system for mobile communication）、及びＧＰＲＳ（General Packet Radio Service）に基づいたＷＣＤＭＡ（登録商標）（Wideband Code Division Multiple Access）で動作する３世代（3rd Generation、３Ｇ）非対称移動通信システムである。ＵＭＴＳのＬＴＥ（Long-Term Evolution）は、ＵＭＴＳを規格化する３ＧＰＰによって議論中にある。
【００２６】
３ＧＰＰ  ＬＴＥは、高速パケット通信を可能にする技術である。使用者及びプロバイダ（提供者）（provider）のコスト（costs）を減少させ、サービス品質を改善し、カバレッジ（coverage）及びシステム容量を拡張及び改善することを目的とするＬＴＥの課題のための多くの方法が提案された。３Ｇ  ＬＴＥは、上位レベル要求であって、ビット（bit）当たりのコストの減少、増加したサービス可用性、周波数帯域の柔軟性、単純な構造、オープンインターフェース、及び端末の適切な電力消費を要求する。
【００２７】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００２８】
本明細書は、ＬＴＥシステム及びＬＴＥ−Ａシステムを用いて本発明の各実施例を説明するが、これは例示に過ぎない。したがって、本発明の各実施例は、上記定義に該当するいずれの通信システムにも適用することができる。また、本明細書では、ＦＤＤ方式を基準にして本発明の実施例に関して説明するが、これは例示であって、本発明の実施例は、Ｈ−ＦＤＤ方式又はＴＤＤ方式にも容易に変形して適用することができる。
【００２９】
図２Ａは、Ｅ−ＵＴＲＡＮ（Evolved-Universal Terrestrial Radio Access Network）網の構造を示すブロック図である。Ｅ−ＵＭＴＳは、ＬＴＥシステムと称することもできる。通信網は、ＩＭＳ及びパケットデータを通じたＶｏＩＰ（Voice over IP）などの多様なサービスを提供するために広く配置される。
【００３０】
図２Ａに示したように、Ｅ−ＵＭＴＳ網は、Ｅ−ＵＴＲＡＮ（Evolved UMTS Terrestrial Radio Access Network）、ＥＰＣ（Evolved Packet Core）、及び一つ又は複数の端末を含む。Ｅ−ＵＴＲＡＮは、一つ又は複数のｅＮＢ（evolved NodeB）２０を含むことができ、複数の端末１０が一つのセルに位置することができる。一つ又は複数のＥ−ＵＴＲＡＮ  ＭＭＥ（Mobility Management Entity）／ＳＡＥ（System Architecture Evolution）ゲートウェイ３０は、ネットワークの終端に位置し、外部ネットワークに接続することもできる。
【００３１】
本明細書において、「ダウンリンク（downlink）」は、ｅＮＢ２０から端末１０への通信を称し、「アップリンク（uplink）」は、端末１０からｅＮＢ２０への通信を称する。端末１０は、使用者によって運搬される通信装置（communication equipment）を称し、また、移動局（Mobile Station、ＭＳ）、ユーザ端末（User Terminal、ＵＴ）、加入者ステーション（Subscriber Station、ＳＳ）又は無線デバイスと称することもできる。
【００３２】
図２Ｂは、一般的なＥ−ＵＴＲＡＮ及び一般的なＥＰＣの構造を示すブロック図である。
【００３３】
図２Ｂに示したように、ｅＮＢ２０は、ユーザプレーン（使用者平面）（user plane）及び制御プレーン（制御平面）（control plane）のエンドポイント（end point）をＵＥ１０に提供する。ＭＭＥ／ＳＡＥゲートウェイ３０は、セッション及びモビリティ（移動性）管理（mobility management）機能のエンドポイントをＵＥ１０に提供する。ｅＮＢ２０とＭＭＥ／ＳＡＥゲートウェイ３０とは、Ｓ１インターフェースを介して接続することができる。
【００３４】
ｅＮＢ２０は、一般にＵＥ１０と通信する固定局であって、基地局（ＢＳ）又はアクセスポイント（access point）と称することもある。一つのｅＮＢ２０は、セルごとに配置することができる。ユーザトラフィック（user traffic）又は制御トラフィックを送信するためのインターフェースをｅＮＢ２０間で使用することができる。
【００３５】
ＭＭＥは、ｅＮＢ２０に対するＮＡＳシグナリング、ＮＡＳシグナリングセキュリティ（保安）（security）、ＡＳセキュリティ制御、３ＧＰＰアクセスネットワーク（3GPP access networks）間のモビリティのためのＣＮノード間（インター（inter）ＣＮノード）シグナリング（Inter CN node signaling）、（ページング再送信の制御及び実行を含む）アイドル（遊休）モード（idle mode）ＵＥ到達可能性（接近性）（Reachability）、（アイドルモード及びアクティブ（活性）モード（active mode）のＵＥのための）トラッキング領域リスト管理、ＰＤＮ  ＧＷ及びサービングＧＷの選択、ＭＭＥ変更（MME change）が伴うハンドオーバのためのＭＭＥ選択、２Ｇ又は３Ｇ  ３ＧＰＰアクセスネットワークへのハンドオーバのためのＳＧＳＮ選択、ローミング、認証、専用ベアラ設定を含むベアラ管理、（ＥＴＷＳ及びＣＭＡＳを含む）ＰＷＳメッセージ送信のためのサポートを含む多様な機能を行う。ＳＡＥゲートウェイホストは、使用者ごとに行う（Per-user）ことがベースのパケットフィルタリング（例えば、ディープパケットインスペクション（deep packet inspection）を使用）、ローフルインターセプション（Lawful Interception）、ＵＥ  ＩＰアドレス割り当て、ダウンリンクでの送信（Transport）レベルパケットマーキング、ＵＬ及びＤＬサービスレベル課金、ゲーティング及びレート強化、ＡＰＮ−ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００３６】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（meshed network structure）を有することができる。
【００３７】
図２Ｂに示したように、ｅＮＢ２０は、ゲートウェイ３０に対する選択、無線リソース制御（Radio Resource Control、ＲＲＣ）活性化の間、ゲートウェイに向かうルーティング、ページングメッセージのスケジューリング及び送信、ブロードキャストチャネル（ＢＣＣＨ）情報のスケジューリング及び送信、アップリンク及びダウンリンクの全てにおける各ＵＥ１０のための動的リソース割り当て、ｅＮＢ測定の構成及び準備、無線ベアラ制御、無線アドミッションコントロール（承認制御）（Radio Admission Control、ＲＡＣ）、及びＬＴＥ＿ＡＣＴＩＶＥ状態での接続モビリティ（移動性）制御（connection mobility control）などの各機能を行うことができる。ＥＰＣにおいて、ゲートウェイ３０は、ページング発信、ＬＴＥ＿ＩＤＬＥ状態管理、ユーザプレーン暗号化、システムアーキテクチャエボリューション（System Architecture Evolution、ＳＡＥ）ベアラ制御、及び非アクセス層（Non-Access Stratum、ＮＡＳ）シグナリングの暗号化及び完全性保護（integrity protection）などの各機能を行うことができる。
【００３８】
ＥＰＣは、モビリティ管理エンティティ（Mobility Management Entity、ＭＭＥ）、サービング−ゲートウェイ（serving-gateway、Ｓ−ＧＷ）、及びパケットデータネットワーク−ゲートウェイ（Packet Data Network-Gateway、ＰＤＮ−ＧＷ）を含む。ＭＭＥは、主に各端末のモビリティを管理する目的で用いられる接続及び性能（connections and capabilities）に関する情報を有する。Ｓ−ＧＷは、Ｅ−ＵＴＲＡＮを終端点として有するゲートウェイで、ＰＤＮ−ＧＷは、パケットデータネットワーク（ＰＤＮ）を終端点として有するゲートウェイである。
【００３９】
図３は、３ＧＰＰ無線アクセスネットワーク規格をベースにした端末とＥ−ＵＴＲＡＮとの間の無線インターフェースプロトコルの制御プレーン（制御平面）（control plane）及びユーザプレーン（使用者平面）（user plane）の構造を示す図である。制御プレーンは、端末（User Equipment；ＵＥ）及びネットワークが呼（call）を管理するために用いる各制御メッセージが送信される通信路（path）を意味する。ユーザプレーンは、アプリケーション層で生成されたデータ、例えば、音声データ又はインターネットパケットデータなどが送信される通信路を意味する。
【００４０】
第１層である物理層は、物理チャネル（Physical Channel）を用いて上位層（上位階層）（higher layer）に情報送信サービス（Information Transfer Service）を提供する。物理層は、上位にあるメディアアクセス制御（Medium Access Control）層とはトランスポートチャネル（Transport Channel）を介して接続されている。上記トランスポートチャネルを介してメディアアクセス制御層と物理層との間でデータが移動する。送信側と受信側との物理層間では、物理チャネルを介してデータが移動する。上記物理チャネルは、時間及び周波数を無線リソースとして活用する。具体的には、物理チャネルは、ダウンリンクでＯＦＤＭＡ（Orthogonal Frequency Division Multiple Access）方式で変調され、アップリンクでＳＣ−ＦＤＭＡ（Single Carrier Frequency Division Multiple Access）方式で変調される。
【００４１】
第２層のメディアアクセス制御（Medium Access Control；ＭＡＣ）層は、論理チャネル（Logical Channel）を介して上位層である無線リンク制御（Radio Link Control；ＲＬＣ）層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ（Packet Data Convergence Protocol）層は、帯域幅の狭い無線インターフェースでＩＰバージョン４（IP version 4、ＩＰｖ４）パケットやＩＰバージョン６（ＩＰｖ６）パケットなどのＩＰ（internet protocol）パケットを効率的に送信するために不必要な制御情報を減少させるヘッダ圧縮（Header Compression）機能を行う。
【００４２】
第３層の最下部に位置する無線リソース制御（Radio Resource Control；ＲＲＣ）層は、制御プレーンのみで定義される。ＲＲＣ層は、各無線ベアラ（Radio Bearer；ＲＢ）の設定（Configuration）、再設定（Re-configuration）及び解放（Release）と関連して論理チャネル、トランスポートチャネル（transport channels）及び物理チャネルの制御を担当する。ＲＢは、端末とネットワークとの間のデータ伝達のために第２層によって提供されるサービスを意味する。このために、端末とネットワークとのＲＲＣ層は、互いにＲＲＣメッセージを交換する。
【００４３】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうちの一つで動作するように設定することができ、帯域でダウンリンク又はアップリンク送信サービスを提供するように設定することができる。異なる各セルは、異なる各帯域を提供するように設定することもできる。
【００４４】
Ｅ−ＵＴＲＡＮから端末への送信のためのダウンリンクトランスポートチャネル（Downlink transport Channel）は、システム情報を送信するＢＣＨ（Broadcast Channel）、各ページングメッセージを送信するＰＣＨ（Paging Channel）、及びユーザトラフィック又は各制御メッセージを送信するためのダウンリンク共有チャネル（Shared Channel、ＳＣＨ）を含む。ダウンリンクマルチキャスト又はブロードキャストサービスのトラフィック又は制御メッセージの場合、ダウンリンクＳＣＨを介して送信することもでき、又は別途のダウンリンクＭＣＨ（Multicast Channel）を介して送信することもできる。
【００４５】
端末からネットワークにデータを送信するアップリンクトランスポートチャネルとしては、初期制御メッセージを送信するＲＡＣＨ（Random Access Channel）と、その他にユーザトラフィックや制御メッセージを送信するアップリンクＳＣＨ（Shared Channel）と、がある。トランスポートチャネルの上位にあり、トランスポートチャネルにマッピングされる論理チャネルとしては、ＢＣＣＨ（Broadcast Control Channel）、ＰＣＣＨ（Paging Control Channel）、ＣＣＣＨ（Common Control Channel）、ＭＣＣＨ（Multicast Control Channel）、及びＭＴＣＨ（Multicast Traffic Channel）などがある。
【００４６】
図４（ａ）は、ＮＧ無線アクセスネットワーク（ＮＧ−ＲＡＮ）アーキテクチャのネットワーク構造を示すブロック図であり、図４（ｂ）は、ＮＧ−ＲＡＮと５Ｇコアネットワーク（５ＧＣ）との間の機能的分割アーキテクチャ（functional Split）を説明するブロック図である。
【００４７】
ＮＧ−ＲＡＮノードは、端末に向けてＮＲユーザプレーン及び制御プレーンプロトコルの終端を提供するｇＮＢ、又は端末に向けてＥ−ＵＴＲＡユーザプレーン及び制御プレーンプロトコルの終端を提供するｎＧ−ｅＮＢである。
【００４８】
ｇＮＢとｎｇ−ｅＮＢとは、Ｘｎインターフェースを介して互いに接続される（interconnected）。またｇＮＢ及びｎｇ−ｅＮＢは、ＮＧインターフェースを介して５ＧＣに、より具体的にはＮＧ−Ｃインターフェースを介してＡＭＦ（Access and Mobility Management Function）に、そしてＮＧ−Ｕインターフェースを介してＵＰＦ  （User Plane Function）に接続される（connected）。
【００４９】
Ｘｎインターフェースは、Ｘｎユーザプレーン（Ｘｎ−Ｕ）とＸｎ制御プレーン（Ｘｎ−Ｃ）とを含む。Ｘｎユーザプレーン（Ｘｎ−Ｕ）インターフェースは、２つのＮＧ−ＲＡＮノード間に定義される。トランスポート（伝送）ネットワーク層（transport network layer）は、ＩＰトランスポート（伝送）（IP transport）上に構築され、ＧＴＰ−Ｕは、ユーザプレーンＰＤＵを伝送するためにＵＤＰ／ＩＰの上端で使用される。Ｘｎ−Ｕは、ユーザプレーンＰＤＵの保証されない（non-guaranteed）伝達を提供し、以下の機能をサポートする。i）データフォワーディング（Data forwarding）及びｉｉ）フロー制御（Flow control）。Ｘｎ制御プレーンインターフェース（Ｘｎ−Ｃ）は、２つのＮＧ−ＲＡＮノード間に定義される。トランスポートネットワーク層は、ＩＰ上端のＳＣＴＰ上に構築される。アプリケーション層シグナリングプロトコルは、ＸｎＡＰ（Xn Application Protocol）とも呼ばれる。ＳＣＴＰ層は、アプリケーション層メッセージの保証された伝達を提供する。トランスポートＩＰ層においてポイント−ｔｏ−ポイント（point-to-point）伝送は、シグナリングＰＤＵを伝達するために使用される。Ｘｎ−Ｃインターフェースは、ｉ）Ｘｎインターフェース管理、ｉｉ）コンテキスト伝送及びＲＡＮページングを含むＵＥモビリティ管理、及びｉｉｉ）二重接続性（Dual connectivity）機能をサポートする。
【００５０】
ＮＧインターフェースには、ＮＧユーザプレーン（ＮＧ−Ｕ）及びＮＧ制御プレーン（ＮＧ−Ｃ）が含まれる。ＮＧユーザプレーンインターフェース（ＮＧ−Ｕ）は、ＮＧ−ＲＡＮノードとＵＰＦとの間に定義される。トランスポートネットワーク層は、ＩＰトランスポート上に構築され、ＧＴＰ−Ｕは、ＮＧ−ＲＡＮノードとＵＰＦとの間でユーザプレーンＰＤＵを伝達するためにＵＤＰ／ＩＰの上端で使用される。ＮＧ−Ｕは、ＮＧ−ＲＡＮノードとＵＰＦとの間のユーザプレーンＰＤＵの保証されない伝達を提供する。
【００５１】
ＮＧ制御プレーンインターフェース（ＮＧ−Ｃ）は、ＮＧ−ＲＡＮノードとＡＭＦとの間に定義される。トランスポートネットワーク層は、ＩＰトランスポート上に構築される。信号メッセージの安定したトランスポート（伝送）（transport）のためにＳＣＴＰがＩＰ上端に追加される。アプリケーション層シグナリングプロトコルは、ＮＧＡＰ（NG Application Protocol）とも呼ばれる。ＳＣＴＰ層は、アプリケーション層メッセージの保証された伝達を提供する。上記伝送時にＩＰ層ポイント−ｔｏ−ポイント伝送を使用してシグナリングＰＤＵを伝達する。
【００５２】
ＮＧ−Ｃは、ｉ）ＮＧインターフェース管理、ｉｉ）ＵＥコンテキスト管理、ｉｉｉ）ＵＥモビリティ管理、ｉｖ）設定伝達（Configuration Transfer）、及びｖ）警告メッセージ伝送機能を提供する。
【００５３】
ｇＮＢ及びｎｇ−ｅＮＢは、ｉ）無線リソース管理のための機能、即ち、無線ベアラ制御、無線アドミッションコントロール、接続モビリティ制御、上りリンク及び下りリンク（スケジューリング）の全てにおいてＵＥに対するリソースの動的割り当て、ｉｉ）ＩＰヘッダ圧縮、データの暗号化及び完全性保護、ｉｉｉ）端末が提供する情報からＡＭＦへのルーティングを決定できない場合、端末のアタッチメント（付着）時に（at UE attachment）ＡＭＦの選択、ｉｖ）（複数の）ＵＰＦに対するユーザプレーンデータのルーティング、ｖ）ＡＭＦに対する制御プレーン情報のルーティング、ｖｉ）接続設定及びリリース、ｖｉｉ）（ＡＭＦで発生した）ページングメッセージのスケジューリング及び伝送、ｖｉｉｉ）（ＡＭＦ又はＯ＆Ｍで発生した）システムブロードキャスト情報（system broadcast information）のスケジューリング及び伝送、ｉｘ）モビリティ及びスケジューリングのための測定及び測定報告設定、ｘ）上りリンクにおける伝送レベルパケットマーキング、ｘi）セッション管理、ｘｉｉ）ネットワークスライシングのサポート（Support of Network Slicing）、及びｘｉｉｉ）ＱｏＳフロー管理及びデータ無線ベアラへのマッピングなどの機能を担当する。アクセス及びモビリティ管理機能（Access and Mobility Management Function、ＡＭＦ）は、ｉ）ＮＡＳシグナリングの終了、ｉｉ）ＮＡＳ信号セキュリティ、ｉｉｉ）ＡＳセキュリティ制御、ｉｖ）３ＧＰＰアクセスネットワーク間のモビリティのためのＣＮノード間ノードシグナリング、ｖ）アイドルモードＵＥ到達可能性（ページングの再伝送の制御及び実行を含む）、ｖｉ）登録領域管理、ｖｉｉ）システム内及びシステム間のモビリティのサポート、ｖｉｉｉ）アクセス認証、ｉｘ）モビリティ管理制御（加入及びポリシ（政策）（policies））、ｘ）ネットワークスライシングのサポート、及びｘi）ＳＭＦ選択の主要機能を担当する。
【００５４】
ユーザプレーン機能（User Plane Function、ＵＰＦ）は、ｉ）ＲＡＴ内／ＲＡＴ間のモビリティのためのアンカポイント（該当する場合）、ｉｉ）データネットワークに対する相互接続の外部ＰＤＵセッションポイント、ｉｉｉ）パケット検査及びポリシ規則執行（Policy rule enforcement）のユーザプレーン部分、ｉｖ）トラフィック使用報告、ｖ）データネットワークへのトラフィックフローのルーティングをサポートする上りリンク分類器（classifier）、ｖｉ）ユーザプレーンに対するＱｏＳ処理、例えば、パケットフィルタリング、ゲーティング、ＵＬ／ＤＬ評価施行、及びｖｉｉ）上りリンクトラフィック検証（ＳＤＦ対ＱｏＳフローマッピング）の主要機能を担当する。
【００５５】
セッション管理機能（Session Management Function、ＳＭＦ）は、ｉ）セッション管理、ｉｉ）ＵＥ  ＩＰアドレス（IP address）割り当て及び管理、ｉｉｉ）ＵＰ機能の選択及び制御、ｉｖ）トラフィックを適切な送信先にルーティングするためのＵＰＦにおけるトラフィックの進路設定（Configures traffic steering at UPF to route traffic to proper destination）、ｖ）ポリシ執行の制御部分及びＱｏＳ制御、及びｖｉ）下りリンクデータ通報の主要機能を担当する。
【００５６】
図５は、３ＧＰＰ（3rd generation partnership project）無線アクセスネットワークの標準に基づいたＵＥとＮＧ−ＲＡＮとの間の無線インターフェースプロトコルの制御プレーン及びユーザプレーンを示す図である。
【００５７】
ユーザプレーンプロトコルスタックは、ＰＨＹ、ＭＡＣ、ＲＬＣ、ＰＤＣＰ及び５Ｇ  ＱｏＳモデルをサポートするために新しく導入されたＳＤＡＰ（Service Data Adaptation Protocol）を含む。
【００５８】
ＳＤＡＰエンティティの主要サービス及び機能は、ｉ）ＱｏＳフローとデータ無線ベアラとの間のマッピング、ｉｉ）ＤＬ及びＵＬパッケージの両方におけるＱｏＳフローＩＤ（ＱＦＩ）のマーキング（marking）である。ＳＤＡＰの単一のプロトコルエンティティは、個々のＰＤＵセッションごとに設定される。
【００５９】
ＱｏＳフローに対して上位層からＳＤＡＰ  ＳＤＵの受信時、伝送ＳＤＡＰエンティティは、ＱｏＳフローに対して指定されたＱｏＳフロー対ＤＲＢのマッピング規則がない場合、ＳＤＡＰ  ＳＤＵをデフォルトＤＲＢにマッピングすることができる。ＱｏＳフローに対して指定されたＱｏＳフロー対ＤＲＢのマッピング規則がある場合は、ＳＤＡＰエンティティは、記憶されたＱｏＳフロー対ＤＲＢのマッピング規則に基づいてＳＤＢ  ＳＤＵをＤＲＢにマッピングすることができる。また、ＳＤＡＰエンティティは、ＳＤＡＰ  ＰＤＵを構成して下位層に伝達することができる。
【００６０】
図６は、本発明の実施例に係る通信装置のブロック図である。
【００６１】
図６に示された装置は、上述したメカニズムを行うように適応されたユーザ装置（User Equipment、ＵＥ）及び／又はｅＮＢであってもよいが、同じ作業を行う任意の装置であってもよい。
【００６２】
図６に示したように、装置は、ＤＳＰ（Digital Signal Processor）／マイクロプロセッサ１１０及び無線周波（Radio Frequency；ＲＦ）モジュール（送受信器（送受信機）（transceiver）；１３５）を含むこともできる。ＤＳＰ／マイクロプロセッサ１１０は、送受信器１３５に電気的に接続されて送受信器１３５を制御する。装置は、設計者の選択によって、電力管理モジュール１０５、バッテリ１５５、ディスプレイ１１５、キーパッド１２０、ＳＩＭカード１２５、メモリデバイス１３０、スピーカ１４５及び入力デバイス１５０をさらに含むこともできる。
【００６３】
特に、図６は、ネットワークから要求メッセージを受信するように構成された受信器（受信機）（receiver）１３５及びネットワークに送／受信タイミング情報を送信するように構成された送信器（送信機）（transmitter）１３５を含む端末を示してもよい。このような受信器及び送信器は、送受信器１３５を構成できる。端末は、送受信器（受信器及び送信器、１３５）に接続されたプロセッサ１１０をさらに含むこともできる。
【００６４】
また、図６は、端末に要求メッセージを送信するように構成された送信器１３５及び端末から送受信タイミング情報を受信するように構成された受信器１３５を含むネットワーク装置を示してもよい。送信器及び受信器は送受信器１３５を構成することもできる。ネットワークは、送信器及び受信器に接続されたプロセッサ１１０をさらに含む。このプロセッサ１１０は、送受信タイミング情報に基づいて遅延（latency）を計算することもできる。
【００６５】
図７は、ＰＤＣＰ再構成を伴うＲＲＣ再設定メッセージを示す図である。
【００６６】
端末は、ｓｒｂ−ＴｏＡｄｄＭｏｄＬｉｓｔを含むＲａｄｉｏＢｅａｒｅｒＣｏｎｆｉｇのＲＲＣ再設定メッセージを受信すると、ＳＲＢの追加又は再設定を行う。現在端末設定の一部であるｓｒｂ−ＴｏＡｄｄＭｏｄＬｉｓｔに含まれた各々のｓｒｂ−Ｉｄｅｎｔｉｔｙ値に対して、ｒｅｅｓｔａｂｌｉｓｈＰＤＣＰが設定されると、端末がこのＳＲＢのＰＤＣＰエンティティを再構成する。
【００６７】
ＵＥがｄｒｂ−ＴｏＡｄｄＭｏｄＬｉｓｔを含むＲａｄｉｏＢｅａｒｅｒＣｏｎｆｉｇのＲＲＣ再設定メッセージを受信すると、ＵＥは、ＤＲＢ追加又は再設定を行う。現在ＵＥ設定の一部であるｄｒｂ−ＴｏＡｄｄＭｏｄＬｉｓｔに含まれた各々のｄｒｂ−Ｉｄｅｎｔｉｔｙ値に対して、ｒｅｅｓｔａｂｌｉｓｈＰＤＣＰが設定されると、ＵＥは、このＤＲＢのＰＤＣＰエンティティを再構成する。
【００６８】
ＬＴＥにおいて、ＰＤＣＰエンティティは、ＲＬＣ  ＡＭに対するＰＤＣＰ再構成手順において上位層ＰＤＵの順次伝達（in-sequence delivery）でサポートされる。ＤＣ（ＲＬＣ  ＡＭに対してのみサポート）及びＬＷＡベアラ（ＲＬＣ  ＡＭ及びＲＬＣ  ＵＭに対してのみサポート）のスプリットベアラの場合、伝送のためのＰＤＣＰ  ＰＤＵルーティング及び受信のためのＰＤＣＰ  ＰＤＵ再整列がサポートされる。ＰＤＣＰ再整列機能は、ＬＴＥでは基本的に行われないので、ＰＤＣＰ再構成は、ＰＤＣＰエンティティに再整列機能が設定されているか否かによって変わる。
【００６９】
具体的には、ＲＬＣ  ＡＭにマッピングされたＤＲＢに対して、ＰＤＣＰエンティティが設定されている状態で上位層がＰＤＣＰ再構成を要求し（request）、再整列機能が使用されないと、ＰＤＣＰエンティティは、下位層の再構成によって下位層から受信されるＰＤＣＰデータＰＤＵを処理し、下りリンクに対するヘッダ圧縮プロトコルを再設定し、上位層で記憶されたＵＥ  ＡＳコンテキストが使用されることを指示し、ｄｒｂ−ＣｏｎｔｉｎｕｅＲＯＨＣが設定される場合を除いては、Ｕモード（設定された場合）においてＮＣ状態で開始される。またＰＤＣＰエンティティは、Ｎｅｘｔ＿ＰＤＣＰ＿ＲＸ＿ＳＮ、ＲＸ＿ＨＦＮを０に設定し、Ｌａｓｔ＿ｓｕｂｍｉｔｔｅｄ＿ＰＤＣＰ＿ＲＸ＿ＳＮをＭａｘｉｍｕｍ＿ＰＤＣＰ＿ＳＮに設定し、再構成の手順中に上位層から提供される暗号化アルゴリズム及びキーを適用する。
【００７０】
一方、ＲＬＣ  ＡＭにマッピングされたＤＲＢに対してＰＤＣＰエンティティが設定されている状態で上位層がＰＤＣＰ再構成を要求し、再整列機能が使用される場合、ＰＤＣＰエンティティは、下位層の再構成によって下位層から受信される（複数の）ＰＤＣＰデータＰＤＵを処理し、ＰＤＣＰエンティティがＰＤＣＰ再構成の後に１つのＡＭ  ＲＬＣエンティティに関連付けられる（関連する）（associated）場合、ｔ−再整列を中止して再度設定し、再構成の手順中に上位層から提供される暗号化アルゴリズム及びキーを適用する。
【００７１】
ＲＬＣ  ＵＭにマッピングされたＤＲＢに対してＰＤＣＰエンティティが設定されている状態で上位層がＰＤＣＰ再構成を要求すると、ＰＤＣＰエンティティは、下位層の再構成によって下位層から受信されるＰＤＣＰデータＰＤＵを処理し、下りリンクに対するヘッダ圧縮プロトコルを再設定し、ＤＲＢが該当ヘッダ圧縮プロトコルで構成され、ｄｒｂ−ＣｏｎｔｉｎｕｅＲＯＨＣが設定されない場合は、ＵモードにおいてＮＣ状態で開始される。また、ＰＤＣＰエンティティは、Ｎｅｘｔ＿ＰＤＣＰ＿ＲＸ＿ＳＮ及びＲＸ＿ＨＦＮを０に設定し、再構成の手順中に上位層から提供される暗号化アルゴリズム及びキーを適用する。
【００７２】
ここで、‘Ｎｅｘｔ＿ＰＤＣＰ＿ＲＸ＿ＳＮ’は、与えられたＰＤＣＰエンティティに対して以下のＰＤＣＰ  ＳＤＵのＰＤＣＰ  ＳＮを指示する状態変数である。ＰＤＣＰエンティティの構成時に、ＵＥは、Ｎｅｘｔ＿ＰＤＣＰ＿ＴＸ＿ＳＮを０に設定しなければならない。‘ＲＸ＿ＨＦＮ’は、与えられたＰＤＣＰエンティティに対して受信されたＰＤＣＰ  ＰＤＵに使用されるＣＯＵＮＴ値を生成するためのＨＦＮ値を示す状態変数である。ＰＤＣＰエンティティの構成時に、端末は、ＲＸ＿ＨＦＮを０に設定しなければならない。‘Ｌａｓｔ＿ｓｕｂｍｉｔｔｅｄ＿ＰＤＣＰ＿ＲＸ＿ＳＮ’は、上位層に伝達された最後のＰＤＣＰ  ＳＤＵのＳＮを示す状態変数である。ＰＤＣＰエンティティの構成時に、端末は、Ｌａｓｔ＿Ｓｕｂｍｉｔｔｅｄ＿ＰＤＣＰ＿ＲＸ＿ＳＮをＭａｘｉｍｕｍ＿ＰＤＣＰ＿ＳＮに設定しなければならない。Ｍａｘｉｍｕｍ＿ＰＤＣＰ＿ＳＮは、以下の表１の通りである。
【００７３】
＜表１＞
【表１】
2019532528.tif 000003
【００７４】
なお、ＮＲにおいて、ＰＤＣＰエンティティは、デフォルトで再整列機能を行う。上位層でＰＤＣＰエンティティの再構成を要求すると、受信ＰＤＣＰエンティティは、ｉ）ＳＲＢのために記憶されたＰＤＣＰ  ＳＤＵ及びＰＤＣＰ  ＰＤＵを全部捨て、ｉｉ）ＵＭ  ＤＲＢに対してｄｒｂ−ＣｏｎｔｉｎｕｅＲＯＨＣが設定されない場合、下りリンクに対するヘッダ圧縮プロトコルを再設定し、ＵモードにおいてＮＣ状態で開始され、ｉｉｉ）ＲＸ＿ＮＥＸＴ及びＲＸ＿ＤＥＬＩＶをＵＭ  ＤＲＢ及びＳＲＢに対する初期値に設定し、ｉｖ）ＰＤＣＰエンティティ再構成の手順中に上位層から提供される暗号化アルゴリズム及びキーを適用し、ｖ）ＰＤＣＰエンティティ再構成の手順中に上位層から提供する完全性保護アルゴリズム及びキーを適用する。
【００７５】
ここで、‘ＲＸ＿ＮＥＸＴ’は、受信が期待される次のＰＤＣＰ  ＳＤＵのＣＯＵＮＴ値を示す状態変数である。初期値は０である。‘ＲＸ＿ＤＥＬＩＶ’は、上位層に伝達されなかったが相変わらず待機中である最初のＰＤＣＰ  ＳＤＵのＣＯＵＮＴ値を示す状態変数である。初期値は０である。
【００７６】
上述したように、ＰＤＣＰ再構成が行われる時に状態変数及びＣＯＵＮＴ値が再設定されることは、ＰＤＣＰエンティティで行われる再整列機能も変更されることを意味する。
【００７７】
ＡＭ  ＤＲＢの場合、ＰＤＣＰ再構成がトリガされると、再整列バッファに記憶されたＰＤＣＰ  ＳＤＵがある場合、ＰＤＣＰは、ＰＤＣＰ再構成の後にも該当ＰＤＣＰ  ＳＤＵを再整列バッファに維持することができる。状態変数及びＣＯＵＮＴ値はＰＤＣＰ再構成の間に維持されるので、ＰＤＣＰ  ＳＤＵを再整列バッファに維持することは何ら問題にならない。ＰＤＣＰ再構成の後に受信されるＰＤＣＰ  ＳＤＵは、ＰＤＣＰ再構成の前に受信されたＰＤＣＰ  ＳＤＵと再整列できる。
【００７８】
しかし、ＵＭ  ＤＲＢの場合には、状態変数及びＣＯＵＮＴ値は、ＰＤＣＰ再構成中に再設定され、ＰＤＣＰ再構成の後に受信されるＰＤＣＰ  ＳＤＵは、ＰＤＣＰ再構成の前に受信されたＰＤＣＰ  ＳＤＵと再整列できない。
【００７９】
ＰＤＣＰ再構成が行われる時に状態変数及びＣＯＵＮＴ値が再設定されることは、ＰＤＣＰエンティティで行われる再整列機能も変更されることを意味する。
【００８０】
ＬＴＥにおいては、再整列機能がスプリットベアラでのみ行われ、スプリットベアラは、ＡＭ  ＲＬＣでのみサポートされるので、ＰＤＣＰ再構成にも再整列機能にはいかなる影響も与えない。
【００８１】
なお、ｅＬＴＥにおいて、ＬＷＡベアラは、スプリットベアラ構造を採択しても、ＬＷＡベアラはＡＭ  ＲＬＣだけではなくＵＭ  ＲＬＣでもサポートされ、一部のスプリットベアラはＡＭ  ＲＬＣだけではなくＵＭ  ＲＬＣでもサポートされる。またＮＲにおいて、ＡＭ  ＲＬＣに関連するＰＤＣＰエンティティだけではなくＵＭ  ＲＬＣに関連するＰＤＣＰエンティティは、スプリットベアラに関係なくデフォルトで再整列機能を行う。
【００８２】
現在の規格によれば、ＵＭ  ＤＲＢの場合、ＰＤＣＰ再構成において状態変数の初期化が発生しても再整列バッファ又は再整列バッファに記憶されたＳＤＵを処理する方法に対する定義がない。
【００８３】
かかる場合、受信ＰＤＣＰは、２つのオプションを考慮する。１つは、記憶されたＰＤＣＰ  ＳＤＵを捨てることである（オプション１）。他の１つは、記憶されたＰＤＣＰ  ＳＤＵを上位層に伝達することである（オプション２）。２つのオプションはいずれも可能であるが、一方のＵＥはオプション１を選択し、他方のＵＥはオプション２を選択する場合には問題になる。したがって、ＰＤＣＰの再構成時に記憶されたＰＤＣＰ  ＳＤＵを処理する方法がＵＭ  ＤＲＢに対して論議される必要がある。
【００８４】
図８は、本発明の実施例による無線通信システムにおいてＵＭ  ＲＬＣエンティティに関連するＰＤＣＰエンティティの再構成を行うための概念図である。
【００８５】
受信ＰＤＣＰエンティティは、ＰＤＣＰ再構成手順を行う時に記憶された全てのＰＤＣＰ  ＳＤＵを上位層に伝達することを目的とする。ＰＤＣＰエンティティがＰＤＣＰ再構成を行う時、記憶されたＳＤＵを廃棄するより上位層に伝達する方が、伝達されたＰＤＣＰ  ＳＤＵを上位層で活用できるという点で有利である。
【００８６】
具体的には、ＰＤＣＰ（Packet Data Convergence Protocol）エンティティの再構成タイマがトリガされると（Ｓ８０１）、受信ＰＤＣＰエンティティは、ＰＤＣＰエンティティの再整列タイマが動作中である場合、該当ＰＤＣＰエンティティの再整列タイマを中断し再設定する（Ｓ８０３）。
【００８７】
ＰＤＣＰエンティティ再構成のトリガは、上位層がＰＤＣＰエンティティの再構成を要求する時に発生することが好ましい。
【００８８】
再整列タイマは、好ましくは、非順次（out-of-order）ＰＤＣＰ  ＳＤＵが再整列タイマに関連する再整列ウィンドウで下位層から受信された時に開始される。
【００８９】
ここで、再整列タイマは、ＰＤＣＰエンティティの再整列機能中に動作するタイマである。再整列タイマは、非順次ＳＤＵが下位層から受信された時に開始され、非順次ＳＤＵは、再整列タイマが実行される間に再整列バッファに記憶される。再整列タイマが満了して記憶された非順次ＳＤＵは、順に上位層に伝達される。
【００９０】
‘順に’という用語は、再整列バッファ内のＰＤＣＰ  ＳＤＵに関連するＣＯＵＮＴ値の昇順を意味する。
【００９１】
非順次ＳＤＵは、下位層から受信されると予想される次のＳＤＵではないＳＤＵである。再整列ウィンドウ以外のＰＤＵは、受信され次第、直ちに廃棄されるので、この場合には、受信されると予想される次のＰＤＵ以外のＰＤＵは再整列ウィンドウで受信されることが制限される。
【００９２】
ＰＤＣＰエンティティは、再整列機能のために‘ＲＸ＿ＮＥＸＴ’、‘ＲＸ＿ＤＥＬＩＶ’及び‘ＲＸ＿ＲＥＯＲＤ’を管理する。
【００９３】
‘ＲＸ＿ＮＥＸＴ’は、受信されると予想される次のＰＤＣＰ  ＳＤＵのＣＯＵＮＴ値を示す状態変数である。‘ＲＸ＿ＮＥＸＴ’は、受信ＰＤＣＰエンティティにより予想される次のＣＯＵＮＴ値を示すので、ＲＸ＿ＮＥＸＴ値を使用して非順次ＳＤＵであるか否かを把握することができる。即ち、ＣＯＵＮＴ値がＲＸ＿ＮＥＸＴであるＰＤＵ（又はＳＤＵ）が下位層から受信されると、該当ＰＤＵ（又はＳＤＵ）は順次（in-order）ＰＤＵ（又はＳＤＵ）である。ＣＯＵＮＴ値がＲＸ＿ＮＥＸＴより大きいＰＤＵ（又はＳＤＵ）が下位層から受信されると、該当ＰＤＵ（又はＳＤＵ）は非順次ＰＤＵ（又はＳＤＵ）である。
【００９４】
実際に、‘ＲＸ＿ＮＥＸＴ’は、‘ＳＤＵ’という用語で定義される。受信ＰＤＣＰエンティティは、下位層から‘ＰＤＵ’を受信し、‘ＰＤＵ’に対応する‘ＳＤＵ’を処理して上位層に伝送するので、再整列機能において‘ＳＤＵ’という用語は‘ＰＤＵ’と混用できる。
【００９５】
‘ＲＸ＿ＤＥＬＩＶ’は、上位層に伝達されずに未だ待機中である最初のＰＤＣＰ  ＳＤＵのＣＯＵＮＴ値を示す状態変数である。現在の規格によれば、‘ＲＸ＿ＤＥＬＩＶ’と同一のＣＯＵＮＴ値を有するＰＤＵが受信されるか、或いはｔ−再整列タイマが満了した場合にのみ、‘ＲＸ＿ＤＥＬＩＶ’がアップデートされると共に（while）再整列ウィンドウが移動する。定義によれば、‘ＲＸ＿ＤＥＬＩＶ’は、上位層に伝送されなかったＳＤＵのＣＯＵＮＴ値のうち、最低のＣＯＵＮＴ値を意味するので、‘ＲＸ＿ＤＥＬＩＶ’は、再整列ウィンドウの下位エッジを示す。再整列ウィンドウのサイズは常数であり、‘ＲＸ＿ＤＥＬＩＶ’が変わらないので、再整列ウィンドウは、‘ＲＸ＿ＤＥＬＩＶ’と同一のＣＯＵＮＴ値を有するＰＤＵが受信されたか、或いはｔ−再整列タイマが満了するまで維持される。
【００９６】
‘ＲＸ＿ＲＥＯＲＤ’は、再整列タイマをトリガしたＰＤＣＰデータＰＤＵに関連するＣＯＵＮＴ値の次のＣＯＵＮＴ値を示す状態変数である。
【００９７】
再整列タイマは、非順次ＰＤＵが下位層から受信される時にトリガされる。したがって、‘ＲＸ＿ＲＥＯＲＤ’は、非順次ＰＤＣＰ  ＰＤＵに関連するＣＯＵＮＴ値の次のＣＯＵＮＴ値にアップデートされる。
【００９８】
上述した状態変数は、ＮＲで使用される用語であり、ＬＴＥは他の変数を使用する。用語は異なるが、再整列機能は同様である。
【００９９】
ＬＴＥの用語において、‘ＲＸ＿ＤＥＬＩＶ’は‘Ｌａｓｔ＿Ｓｕｂｍｉｔｔｅｄ＿ＰＤＣＰ＿ＲＸ＿ＳＮ’に該当し、‘ＲＸ＿ＲＥＯＲＤ’は‘Ｒｅｏｒｄｅｒｉｎｇ＿ＰＤＣＰ＿ＲＸ＿ＣＯＵＮＴ’に該当し、‘ＲＸ＿ＮＥＸＴ’は‘Ｎｅｘｔ＿ＰＤＣＰ＿ＲＸ＿ＳＮ’に該当する。
【０１００】
ＬＴＥとＮＲとの違い（difference）は、ＰＤＣＰエンティティにおいてＳＤＵのシーケンス番号（ＳＮ）を管理することである。しかし、ＳＮにＨＦＮを追加してＣＯＵＮＴを導出する（derive）ことはＮＲと同一である。またＬＴＥはＰＤＣＰエンティティにおける非順次伝送をサポートせず、‘Ｌａｓｔ＿Ｓｕｂｍｉｔｔｅｄ＿ＰＤＣＰ＿ＲＸ＿ＳＮ’は、ＰＤＣＰエンティティの構成時に上位層に伝達された最後のＰＤＣＰ  ＳＤＵのＳＮを示す。即ち、‘Ｌａｓｔ＿Ｓｕｂｍｉｔｔｅｄ＿ＰＤＣＰ＿ＲＸ＿ＳＮ’は、再整列バッファにおいて成功裏に伝送されたＳＤＵのＳＮのうち最大のＳＮ値を意味するので、‘Ｌａｓｔ＿Ｓｕｂｍｉｔｔｅｄ＿ＰＤＣＰ＿ＲＸ＿ＳＮ’＋１は、再整列ウィンドウの下位エッジ値である。
【０１０１】
なお、ＰＤＣＰエンティティは、ヘッダ圧縮解除（復元）（decompression）後、ＰＤＣＰ再整列バッファに記憶される全てのＰＤＣＰ  ＳＤＵを関連するＣＯＵＮＴ値の昇順に上位層に伝達する（Ｓ８０５）。
【０１０２】
“関連するＣＯＵＮＴ値”は、再整列バッファに記憶されたＳＤＵに関連するＣＯＵＮＴ値を意味する。例えば、ＣＯＵＮＴ２２、２４及び２５を有するＳＤＵが再整列バッファに記憶された場合、ＣＯＵＮＴ２２、２４及び２５が関連するＣＯＵＮＴ値であり、まずＣＯＵＮＴ２２を有するＳＤＵが伝達され、次いでＣＯＵＮＴ２４を有するＳＤＵが伝達され、最後にＣＯＵＮＴが２５であるＳＤＵが上位層に順に伝達される。
【０１０３】
記憶されたＰＤＣＰ  ＳＤＵを上位層に伝達した後、受信ＰＤＣＰエンティティは、その他の再構成段階を行う（Ｓ８０７）。
【０１０４】
具体的には、受信ＰＤＣＰエンティティは、ｄｒｂ−ＣｏｎｔｉｎｕｅＲＯＨＣが設定されない場合、下りリンクに対するヘッダ圧縮プロトコルを再設定し、ＵモードにおいてＮＣ状態で開始され、ＲＸ＿ＮＥＸＴ及びＲＸ＿ＤＥＬＩＶを初期値にセットし、ＰＤＣＰエンティティ再構成手順の間に上位層から提供される暗号化アルゴリズム及びキーを適用し、ＰＤＣＰエンティティ再構成の手順中に上位層から提供される完全性保護アルゴリズム及びキーを適用する。
【０１０５】
好ましくは、本発明は、ＲＬＣ  ＵＭ、即ち、ＵＭ  ＤＲＢ上で動作する受信ＰＤＣＰエンティティに適用される。
【０１０６】
図９は、本発明の実施例による無線通信システムにおいてＵＭ  ＲＬＣエンティティと関連するＰＤＣＰエンティティの再構成を行う一例である。
【０１０７】
受信ＰＤＣＰエンティティがＲＸ＿ＤＥＬＩＶ及びＲＸ＿ＮＥＸＴを各々２１に更新し、ｔ−再整列が実行中ではないことと仮定する（Ｓ９０１）。
【０１０８】
受信ＰＤＣＰエンティティは、下位層からＣＯＵＮＴ２２を有するＰＤＣＰ  ＳＤＵを受信した場合、ｔ−再整列を開始してＲＸ＿ＲＥＯＲＤ及びＲＸ＿ＮＥＸＴを２３に更新する。また、受信ＰＤＣＰエンティティは、ＲＸ＿ＤＥＬＩＶを更新せずＣＯＵＮＴ２４を有するＰＤＣＰ  ＳＤＵを記憶する（Ｓ９０３）。
【０１０９】
ｔ−再整列が実行される間に、ＣＯＵＮＴ２４を有するＰＤＣＰ  ＳＤＵが下位層から受信される。受信ＰＤＣＰエンティティは、ＲＸ＿ＮＥＸＴを２５に更新する。受信ＰＤＣＰエンティティは、ＲＸ＿ＤＥＬＩＶ及びＲＸ＿ＲＥＯＲＤを更新しない。また、受信ＰＤＣＰエンティティは、ＣＯＵＮＴ２４を有するＰＤＣＰ  ＳＤＵを記憶する（Ｓ９０５）。
【０１１０】
ｔ−再整列が実行される間に、ＣＯＵＮＴ２５を有するＰＤＣＰ  ＳＤＵが下位層から受信される。受信ＰＤＣＰエンティティは、ＲＸ＿ＮＥＸＴを２６に更新する。受信ＰＤＣＰエンティティは、ＲＸ＿ＤＥＬＩＶ及びＲＸ＿ＲＥＯＲＤを更新しない。また、受信ＰＤＣＰエンティティは、ＣＯＵＮＴ２５を有するＰＤＣＰ  ＳＤＵを記憶する（Ｓ９０７）。
【０１１１】
上位層でＰＤＣＰエンティティの再構成を要求すると、受信ＰＤＣＰエンティティは、ｔ−再整列を中断して再設定し、ヘッダ圧縮解除を行った後、記憶された全てのＰＤＣＰ  ＳＤＵを関連するＣＯＵＮＴ値の昇順に伝達する（Ｓ９０９）。
【０１１２】
受信ＰＤＣＰエンティティは、ｄｒｂ−ＣｏｎｔｉｎｕｅＲＯＨＣが設定されない場合、下りリンクに対するヘッダ圧縮プロトコルを再設定し、ＵモードにおいてＮＣ状態で開始される。受信ＰＤＣＰエンティティは、ＲＸ＿ＤＥＬＩＶ及びＲＸ＿ＮＥＸＴを初期値に設定する。受信ＰＤＣＰエンティティは、上位層から提供される暗号化アルゴリズム及びキーを適用し、上位層から提供される完全性保護アルゴリズム及びキーを適用する（Ｓ９１１）。
【０１１３】
以上で説明した実施例は、本発明の構成要素及び特徴を所定の形態に組み合わせたもの（combinations）である。それぞれの構成要素又は特徴は、他の明示的言及がない限り選択的なものとして考慮されなければならない。それぞれの構成要素又は特徴は、他の構成要素又は特徴と組み合わせない形態で実施可能である。また、一部の構成要素及び／又は特徴を組み合わせて本発明の実施例を構成することも可能である。本発明の実施例で説明する動作の順序は変更可能である。ある実施例の一部の構成又は特徴は、他の実施例に含まれることができ、あるいは他の実施例の対応する構成又は特徴に入れ替えられることができる。特許請求の範囲で明示的な引用関係がない請求項を組み合わせて実施例を構成するか、あるいは出願後の補正によって新たな請求項として含ませることができるのは明らかである。
【０１１４】
本発明の実施例において、基地局（ＢＳ）によって行われるものとして説明された特定の動作は、上位ノードのＢＳによって実行されることもできる。すなわち、ＢＳを含む複数のネットワークノードで、ＭＳとの通信のために行われる多様な動作が基地局によって実行されるか基地局以外の他のネットワークノードによって実行されることができるのは明らかである。‘ｅＮＢ’という用語は‘固定局（fixed station）’、‘ＮｏｄｅＢ、‘基地局（ＢＳ）’、アクセスポイントなどに置き換えられることもできる。
【０１１５】
前述した実施例は、例えばハードウェア、ファームウエア、ソフトウェア又はそれらの組み合わせなどの多様な手段によって具現されることもできる。
【０１１６】
ハードウェア設定において、本発明の実施例による方法は、一つ又は複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現可能である。
【０１１７】
ファームウエア又はソフトウェアによる具現の場合、本発明の実施例による方法は、以上で説明した機能又は動作を行うモジュール、手順又は関数などの形態に具現されることができる。ソフトウェアコードは、メモリユニットに記憶され、プロセッサによって駆動されることができる。上記メモリユニットは、上記プロセッサの内部又は外部に位置し、既に知られた多様な手段によって上記プロセッサとデータを取り交わすことができる。
【０１１８】
本発明は、本発明の特徴を逸脱しない範疇内で他の特定の形態に具体化されることができるのは、当業者にとって明らかである。したがって、上記詳細な説明は、全ての面で制限的に解釈されてはならず、例示的なものとして考慮しなければならない。本発明の範囲は、添付の特許請求の範囲の合理的解釈によって決まらなければならず、本発明の等価的範囲内の全ての変更は本発明の範囲に含まれる。
【産業上の利用可能性】
【０１１９】
上述した方法は、３ＧＰＰ  ＬＴＥ  及びＮＲシステムに適用される例を中心に説明したが、本発明は、３ＧＰＰ  ＬＴＥ  及びＮＲシステムだけではなく多様な無線通信システムに適用可能である。
【図１】
2019532528.tif 000004
【図２ａ】
2019532528.tif 000005
【図２ｂ】
2019532528.tif 000006
【図３】
2019532528.tif 000007
【図４ａ】
2019532528.tif 000008
【図４ｂ】
2019532528.tif 000009
【図５】
2019532528.tif 000010
【図６】
2019532528.tif 000011
【図７】
2019532528.tif 000012
【図８】
2019532528.tif 000013
【図９】
2019532528.tif 000014
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
無線通信システムにおいて動作する受信装置が行う方法であって、
パケットデータ収束プロトコル（Packet Data Convergence Protocol；ＰＤＣＰ）再構成がトリガされたことを決定する段階と、
前記トリガされたＰＤＣＰ再構成に基づいて、
ＰＤＣＰサービスデータユニット（Service Data Unit；ＳＤＵ）を前記受信装置の上位層に伝達することに関連する再整列タイマを中断して再設定し、
記憶された全てのＰＤＣＰ ＳＤＵを前記ＰＤＣＰ  ＳＤＵに関連するＣＯＵＮＴ値の昇順に前記上位層に伝達する段階と、を有する方法。
【請求項２】
前記ＰＤＣＰ再構成は、前記受信装置のＰＤＣＰエンティティの再構成を有し、
前記ＰＤＣＰエンティティは、前記受信装置の前記上位層の下にある、請求項１に記載の方法。
【請求項３】
前記ＰＤＣＰエンティティの再構成の間に、前記ＰＤＣＰエンティティが前記ＰＤＣＰエンティティの状態変数の値に初期値を設定する段階をさらに有する、請求項２に記載の方法。
【請求項４】
前記記憶された全てのＰＤＣＰ  ＳＤＵを伝達する段階は、
ＰＤＣＰヘッダ圧縮解除を行った後、前記記憶された全てのＰＤＣＰ  ＳＤＵを伝達することを有する、請求項１に記載の方法。
【請求項５】
前記ＰＤＣＰエンティティは、非確認モード（Unacknowledged Mode；ＵＭ）無線リンク制御（Radio Link Control；ＲＬＣ）エンティティに関連する、請求項２に記載の方法。
【請求項６】
状態変数より大きいＣＯＵＮＴ値を有するＰＤＣＰプロトコルデータユニット（PDCP Protocol Data Unit；ＰＤＵ）を前記受信装置の下位層から受信する前記ＰＤＣＰエンティティに基づいて、前記再整列タイマを開始する段階をさらに有し、
前記状態変数は、前記記憶された全てのＳＤＵのうちで、前記ＰＤＣＰエンティティが前記記憶された全てのＳＤＵのうちで最も早い時間に前記下位層から受信した最初のＰＤＣＰ  ＳＤＵのＣＯＵＮＴ値を示す、請求項２に記載の方法。
【請求項７】
前記ＰＤＣＰ再構成は、前記ＰＤＣＰ再構成の要求を前記上位層から受信することに基づいてトリガされる、請求項１に記載の方法。
【請求項８】
無線通信システムにおいて動作する受信装置であって、
無線周波（Radio Frequency；ＲＦ）モジュールと、
少なくとも一つのプロセッサと、
前記少なくとも一つのプロセッサと動作可能に接続可能な少なくとも一つのコンピュータメモリであって、実行されると前記少なくとも一つのプロセッサに、
パケットデータ収束プロトコル（Packet Data Convergence Protocol；ＰＤＣＰ）再構成がトリガされたことを決定することと、
前記トリガされたＰＤＣＰ再構成に基づいて、
ＰＤＣＰサービスデータユニット（Service Data Unit；ＳＤＵ）を前記受信装置の上位層に伝達することに関連する再整列タイマを中断して再設定し、
記憶された全てのＰＤＣＰ ＳＤＵを前記ＰＤＣＰ  ＳＤＵに関連するＣＯＵＮＴ値の昇順に前記上位層に伝達することと、を有する動作を行わせる指示を記憶するコンピュータメモリと、を有する、受信装置。
【請求項９】
前記ＰＤＣＰ再構成は、前記受信装置のＰＤＣＰエンティティの再構成を有し、
前記ＰＤＣＰエンティティは、前記受信装置の前記上位層の下にある、請求項８に記載の受信装置。
【請求項１０】
前記動作は、
前記ＰＤＣＰエンティティの再構成の間に、前記ＰＤＣＰエンティティが前記ＰＤＣＰエンティティの状態変数の値に初期値を設定することをさらに有する、請求項９に記載の受信装置。
【請求項１１】
前記記憶された全てのＰＤＣＰ  ＳＤＵを伝達することは、
ＰＤＣＰヘッダ圧縮解除を行った後、前記記憶された全てのＰＤＣＰ  ＳＤＵを伝達することを有する、請求項８に記載の受信装置。
【請求項１２】
前記ＰＤＣＰエンティティは、非確認モード（Unacknowledged Mode；ＵＭ）無線リンク制御（Radio Link Control；ＲＬＣ）エンティティに関連する、請求項９に記載の受信装置。
【請求項１３】
前記動作は、
状態変数より大きいＣＯＵＮＴ値を有するＰＤＣＰプロトコルデータユニット（PDCP Protocol Data Unit；ＰＤＵ）を前記受信装置の下位層から受信する前記ＰＤＣＰエンティティに基づいて、前記再整列タイマを開始することをさらに有し、
前記状態変数は、前記記憶された全てのＳＤＵのうちで、前記ＰＤＣＰエンティティが前記記憶された全てのＳＤＵのうちで最も早い時間に前記下位層から受信した最初のＰＤＣＰ  ＳＤＵのＣＯＵＮＴ値を示す、請求項９に記載の受信装置。
【請求項１４】
前記ＰＤＣＰ再構成は、前記ＰＤＣＰ再構成の要求を前記上位層から受信することに基づいてトリガされる、請求項８に記載の受信装置。
【請求項１５】
前記再整列タイマを中断して再設定することは、
前記再整列タイマが実行されている状態で前記再整列タイマを中断して再設定することを有する、請求項１に記載の方法。
【請求項１６】
前記記憶された全てのＰＤＣＰ  ＳＤＵを前記上位層に伝達することは、
前記再整列タイマを中断して再設定することに基づいて、前記記憶された全てのＰＤＣＰ  ＳＤＵを前記上位層に伝達することを有する、請求項１に記載の方法。
【請求項１７】
前記記憶された全てのＰＤＣＰ  ＳＤＵを前記上位層に伝達することは、
前記ＰＤＣＰエンティティが前記受信装置の下位層から受信し、前記上位層に伝達されずにＰＤＣＰ再整列バッファに記憶されて残っている全てのＰＤＣＰ  ＳＤＵを、前記上位層に伝達することを有する、請求項２に記載の方法。
【請求項１８】
前記再整列タイマを中断して再設定することは、
前記再整列タイマが実行されている状態で前記再整列タイマを中断して再設定することを有する、請求項８に記載の受信装置。
【請求項１９】
前記記憶された全てのＰＤＣＰ  ＳＤＵを前記上位層に伝達することは、
前記再整列タイマを中断して再設定することに基づいて、前記記憶された全てのＰＤＣＰ  ＳＤＵを前記上位層に伝達することを有する、請求項８に記載の受信装置。
【請求項２０】
前記記憶された全てのＰＤＣＰ  ＳＤＵを前記上位層に伝達することは、
前記ＰＤＣＰエンティティが前記受信装置の下位層から受信し、前記上位層に伝達されずにＰＤＣＰ再整列バッファに記憶されて残っている全てのＰＤＣＰ  ＳＤＵを、前記上位層に伝達することを有する、請求項９に記載の受信装置。
【国際調査報告】
2019532528.tif 000015
2019532528.tif 000016